(57)【要約】【課題】装着時に、常に最適な装着感を得る。【解決手段】手首に装着され、エアポンプ（５０）により空気が送り込まれることによって膨張するエアチャンバ（４０）と、このエアチャンバ（４０）内の空気圧を計測する圧力センサ（６０）と、所定の通知を行う表示部（５）、音声出力部（６）と、を備える腕時計（１００，２００）に、予め設定されたエアチャンバ（４０）内の所定の設定空気圧を記憶するＲＯＭ（１３）と、圧力センサ（６０）により計測された計測空気圧と、ＲＯＭ（１３）に記憶された設定空気圧とを比較して、計測空気圧が設定空気圧以上になったか否かを判断する制御部（１）と、この制御部（１）により、計測空気圧が設定空気圧以上になったと判断された場合に、表示部（５）、音声出力部（６）にその旨を通知させる制御を行う制御部（１）と、を備えた。【選択図】        図１
2004298525.tif 000002
【特許請求の範囲】
【請求項１】
装置本体と、この装置本体に連結された装着具と、この装着具により前記装置本体を手首に装着した場合に、装置本体と装着具のうち、少なくとも一方と手首との間に位置し、エアポンプにより空気が送り込まれることによって膨張するエアチャンバと、このエアチャンバ内の空気圧を計測する圧力センサと、所定の通知を行う通知手段と、を備えるリスト装着装置であって、
予め設定された前記エアチャンバ内の所定の設定空気圧を記憶する記憶手段と、
前記圧力センサにより計測された計測空気圧と、前記記憶手段に記憶された設定空気圧とを比較して、前記計測空気圧が前記設定空気圧以上になったか否かを判断する判断手段と、
前記判断手段により、前記計測空気圧が前記設定空気圧以上になったと判断された場合に、前記通知手段にその旨を通知させる制御を行う通知制御手段と、を備えることを特徴とするリスト装着装置。
【請求項２】
前記エアポンプから前記エアチャンバへの空気の流入を遮断する遮断手段と、前記判断手段により、前記計測空気圧が前記設定空気圧以上になったと判断された場合に、前記遮断手段に対し、前記エアポンプから前記エアチャンバへの空気の流入を遮断させる制御を行う遮断制御手段と、を備えることを特徴とする請求項１に記載のリスト装着装置。
【請求項３】
複数の設定空気圧を記憶する設定空気圧記憶手段と、
前記設定空気圧記憶手段に記憶された複数の設定空気圧の中から前記設定空気圧を選択するための選択手段と、を備えることを特徴とする請求項１又は２に記載のリスト装着装置。
【請求項４】
ユーザが前記設定空気圧を入力するための空気圧入力手段を備えることを特徴とする請求項１〜３のいずれか一項に記載のリスト装着装置。
【請求項５】
前記設定空気圧には、前記エアチャンバ内の空気圧が許容される最大空気圧が含まれることを特徴とする請求項１〜４のいずれか一項に記載のリスト装着装置。
【請求項６】
前記通知手段は、ユーザに通知される情報を表示する通知情報表示手段を備えることを特徴とする請求項１〜５のいずれか一項に記載のリスト装着装置。
【請求項７】
前記通知手段は、ユーザに通知される情報を音声出力する通知情報音声出力手段を備えることを特徴とする請求項１〜６のいずれか一項に記載のリスト装着装置。
【請求項８】
前記圧力センサによって計測された空気圧を表示する空気圧表示手段を備えることを特徴とする請求項１〜７のいずれか一項に記載のリスト装着装置。
【請求項９】
前記圧力センサによって計測された空気圧を音声出力する空気圧音声出力手段を備えることを特徴とする請求項１〜８のいずれか一項に記載のリスト装着装置。
【請求項１０】
前記エアチャンバ内に前記圧力センサを設けたことを特徴とする請求項１〜９のいずれか一項に記載のリスト装着装置。
【請求項１１】
前記エアチャンバは、前記装置本体及び前記装着具の裏側全周にわたって設けられていることを特徴とする請求項１〜１０のいずれか一項に記載のリスト装着装置。
【発明の詳細な説明】
【０００１】
【発明の属する技術分野】
本発明は、リスト装着装置に関する。
【０００２】
【従来の技術】
従来、リスト装着装置として、時計本体に隣接して設けられた小型のエアポンプと、バンドに設けられ、エアポンプに連通するエアチャンバとを備えた腕時計が知られ、実用化されている（例えば、特許文献１参照。）。
特許文献１における腕時計においては、ユーザがエアポンプを押すことにより、エアチャンバ内にエアが供給され、エアチャンバが膨張する。このエアチャンバの膨張の度合いによって腕時計をユーザの手首にフィットさせることができる。
【０００３】
【特許文献１】
特開平１１−１９０２８１号公報
【０００４】
【発明が解決しようとする課題】
しかしながら、ユーザの手首の感覚でエアチャンバ内に供給するエア量を決めていたので、装着する度に同じフィット感を得ることができず、常に最適な装着感を得ることは困難であった。
【０００５】
そこで、本発明の課題は、装着する度に同じフィット感を得ることができ、常に最適な装着感を得ることができるリスト装着装置を提供することである。
【０００６】
【課題を解決するための手段】
上記課題を解決するため、請求項１に記載の発明は、装置本体（例えば、図１〜４，１３の装置本体１１０）と、この装置本体に連結された装着具（例えば、図１，３，４，１３のバンド１２０）と、この装着具により前記装置本体を手首に装着した場合に、装置本体と装着具のうち、少なくとも一方と手首との間に位置し、エアポンプ（例えば、図１，２，４のエアポンプ５０）により空気が送り込まれることによって膨張するエアチャンバ（例えば、図２，３，１３のエアチャンバ４０）と、このエアチャンバ内の空気圧を計測する圧力センサ（例えば、図３，５，１３の圧力センサ６０）と、所定の通知を行う通知手段（例えば、図１〜５，１３の表示部５、音声出力部６）と、を備えるリスト装着装置（例えば、図１〜４，１３の腕時計１００，２００）であって、予め設定された前記エアチャンバ内の所定の設定空気圧を記憶する記憶手段（例えば、図５，６のＲＡＭ１２）と、前記圧力センサにより計測された計測空気圧と、前記記憶手段に記憶された設定空気圧とを比較して、前記計測空気圧が前記設定空気圧以上になったか否かを判断する判断手段（例えば、図５の制御部１、ステップＳ１７）と、前記判断手段により、前記計測空気圧が前記設定空気圧以上になったと判断された場合に、前記通知手段にその旨を通知させる制御を行う通知制御手段（例えば、図５の制御部１、ステップＳ１９）と、を備えることを特徴とする。
【０００７】
請求項１に記載の発明によれば、判断手段が圧力センサにより計測された計測空気圧と、記憶手段に記憶された設定空気圧とを比較して、計測空気圧が設定空気圧以上になったか否かを判断する。このとき、判断手段により、計測空気圧が設定空気圧以上になったと判断された場合に、通知制御手段が通知手段にその旨を通知させる制御を行う。
よって、エアチャンバ内の圧力値を通知手段により確認しながらリスト装着装置を手首に装着することができるので、装着する度に同じフィット感を得ることができ、常に最適な装着感を得ることができる。
【０００８】
請求項２に記載の発明は、請求項１に記載のリスト装着装置において、前記エアポンプから前記エアチャンバへの空気の流入を遮断する遮断手段（例えば、図２の開閉弁５１）と、前記判断手段により、前記計測空気圧が前記設定空気圧以上になったと判断された場合に、前記遮断手段に対し、前記エアポンプから前記エアチャンバへの空気の流入を遮断させる制御を行う遮断制御手段（例えば、図５の制御部１、ステップＳ１８）と、を備えることを特徴とする。
【０００９】
請求項２に記載の発明によれば、判断手段により、計測空気圧が設定空気圧以上になったと判断された場合に、遮断制御手段が遮断手段に対し、エアポンプからエアチャンバへの空気の流入を遮断させる制御を行う。
よって、エアチャンバ内が設定空気圧以上になることがなくなるので、過度に手首を締め付けることがなくなる。
【００１０】
請求項３に記載の発明は、請求項１又は２に記載のリスト装着装置において、複数の設定空気圧を記憶する設定空気圧記憶手段（例えば、図７の設定空気圧記憶エリア１３ａ）と、前記設定空気圧記憶手段に記憶された複数の設定空気圧の中から前記設定空気圧を選択するための選択手段（例えば、図５の制御部１、ステップＳ１２）と、を備えることを特徴とする。
【００１１】
請求項３に記載の発明によれば、選択手段により、ユーザは、設定空気圧記憶手段により記憶された複数の設定空気圧の中から所望の設定空気圧を選択することができる。
よって、ユーザは、リスト装着装置の装着感を選択することができるので、そのユーザにあった最適な装着感を得ることができる。
【００１２】
請求項４に記載の発明は、請求項１〜３のいずれか一項に記載のリスト装着装置において、ユーザが前記設定空気圧を入力するための空気圧入力手段（例えば、図１，４，５の入力部４）を備えることを特徴とする。
【００１３】
請求項４に記載の発明によれば、ユーザは、空気圧入力手段から所望する設定空気圧を入力することができる。
よって、エアチャンバ内の空気圧を無段階で設定することができ、請求項３のように設定空気圧を選択する場合に比べて、より使い勝手の良いリスト装着装置とすることができる。
【００１４】
請求項５に記載の発明は、請求項１〜４のいずれか一項に記載のリスト装着装置において、前記設定空気圧には、前記エアチャンバ内の空気圧が許容される最大空気圧が含まれることを特徴とする。
【００１５】
請求項５に記載の発明によれば、設定空気圧には、エアチャンバ内の空気圧が許容される最大空気圧が含まれることから、エアチャンバ内が設定空気圧以上になることがなくなるので、過度に手首を締め付けることがなくなる。
【００１６】
請求項６に記載の発明は、請求項１〜５のいずれか一項に記載のリスト装着装置において、前記通知手段は、ユーザに通知される情報を表示する通知情報表示手段（例えば、図１〜５，１３の表示部５）を備えることを特徴とする。
【００１７】
請求項６に記載の発明によれば、ユーザに通知される情報を表示する通知情報表示手段を備えることから、ユーザは通知される情報を視覚で認識することができる。
よって、よりユーザーフレンドリーなリスト装着装置とすることができる。
【００１８】
請求項７に記載の発明は、請求項１〜６のいずれか一項に記載のリスト装着装置において、前記通知手段は、ユーザに通知される情報を音声出力する通知情報音声出力手段（例えば、図５の音声出力部６）を備えることを特徴とする。
【００１９】
請求項７に記載の発明によれば、ユーザに通知される情報を音声出力する通知情報音声出力手段を備えることから、ユーザは通知される情報を聴覚で認識することができる。
よって、よりユーザーフレンドリーなリスト装着装置とすることができる。
【００２０】
請求項８に記載の発明は、請求項１〜７のいずれか一項に記載のリスト装着装置において、前記圧力センサによって計測された空気圧を表示する空気圧表示手段（例えば、図１〜５，１３の表示部５）を備えることを特徴とする。
【００２１】
請求項８に記載の発明によれば、圧力センサによって計測された空気圧を表示する空気圧表示手段を備えることから、ユーザは計測された空気圧を視覚で認識することができる。
よって、よりユーザーフレンドリーなリスト装着装置とすることができる。
【００２２】
請求項９に記載の発明は、請求項１〜８のいずれか一項に記載のリスト装着装置において、前記圧力センサによって計測された空気圧を音声出力する空気圧音声出力手段（例えば、図５の音声出力部６）を備えることを特徴とする。
【００２３】
請求項９に記載の発明によれば、圧力センサによって計測された空気圧を音声出力する空気圧音声出力手段を備えることから、ユーザは計測された空気圧を聴覚で認識することができる。
よって、よりユーザーフレンドリーなリスト装着装置とすることができる。
【００２４】
請求項１０に記載の発明は、請求項１〜９のいずれか一項に記載のリスト装着装置において、前記エアチャンバ内に前記圧力センサを設けたことを特徴とする。
【００２５】
請求項１０に記載の発明によれば、エアチャンバ内に圧力センサを設けたことから、リスト装着装置の小型化を図ることができる。また、装置本体と圧力センサとの距離を離すことができるので、圧力センサの精度を向上させることができる。
【００２６】
請求項１１に記載の発明は、請求項１〜１０のいずれか一項に記載のリスト装着装置において、前記エアチャンバは、前記装置本体及び前記装着具の裏側全周にわたって設けられていることを特徴とする。
【００２７】
請求項１１に記載の発明によれば、エアチャンバは、装置本体及びバンドの裏側全周にわたって設けられていることから、エアチャンバは、ユーザの手首をほぼ均等に締め付けることとなる。
よって、ユーザは、良好な装着感を得ることができる。
【００２８】
【発明の実施の形態】
以下、本発明に係るリスト装着装置について詳細に説明する。なお、本実施の形態においては、リスト装着装置の一例として腕時計を挙げて説明する。
＜腕時計の構成＞
図１〜図５に示すように、腕時計１００は、装置本体１１０と装着具としてのバンド１２０とを備えている。装置本体１１０は、時計の機能を果たすために必要な要素で構成された時計モジュール１０と、この時計モジュール１０を内部に収納する時計ケース２０と、時計ケース２０及びバンド１２０の裏側、即ち、時計ケース２０及びバンド１２０のうち手首に接触する側に設けられたエアチャンバ４０と、このエアチャンバ４０にエアを供給するエアポンプ５０と、エアチャンバ４０内に設けられた圧力センサ６０と、脈拍を計測する脈拍センサ７０等が備えられている。
【００２９】
時計モジュール１０は、図５に示すように、各部の動作を制御する制御部１と、発振回路部２から発振される所定周波数のクロック信号を分周して年月日及び時刻を計時し、制御部１に出力する時計回路部３と、ユーザがエアチャンバ４０内の空気圧を設定するための空気圧入力手段としての入力部４と、エアチャンバ４０内の空気圧を表示する通知手段としての表示部５と、エアチャンバ４０内の空気圧を音声で出力する通知手段としての音声出力部６等を備えている。
【００３０】
制御部１は、各部の制御や演算を行うＣＰＵ１１と、ＣＰＵ１１のワークエリア等として使用されるＲＡＭ１２と、ＣＰＵ１１が各部を制御するのに必要なシステムプログラムが記憶されたＲＯＭ１３等を備えている。
ＣＰＵ１１は、ＲＯＭ１３内に格納されたプログラムを読み出してＲＡＭ１２内に展開し、当該プログラムに基づいて各部への指示やデータの送信等を行う。
【００３１】
具体的に、ＣＰＵ１１は、圧力センサ６０により計測された計測空気圧と、ＲＡＭ１２に記憶された設定空気圧とを比較して、計測空気圧が設定空気圧以上になったか否かを判断する判断手段として機能する。
また、ＣＰＵ１１は、計測空気圧が設定空気圧以上になったと判断された場合に、表示部５及び音声出力部６にその旨を通知させる制御を行う通知制御手段として機能する。
【００３２】
更に、ＣＰＵ１１は、計測空気圧が設定空気圧以上になったと判断された場合に、エアチャンバ４０とエアポンプ５０との間に設けられた遮断手段としての開閉弁５１に対し、閉信号を出力することにより、エアポンプ５０からエアチャンバ４０への空気の流入を遮断させる制御を行う遮断制御手段として機能する。
また、ＣＰＵ１１は、ＲＯＭ１３に記憶された複数の設定空気圧の中から設定空気圧を選択するための選択手段の一部として機能する。
【００３３】
ＲＡＭ１２は、ＣＰＵ１１のワークエリアを形成するとともに、ＣＰＵ１１の制御の下、処理データを一時的に記憶するメモリエリアを有する。
具体的に、ＲＡＭ１２は、図６に示すように、圧力センサ６０によって計測されたエアチャンバ４０内の空気圧を記憶する計測空気圧記憶エリア１２ａ、ユーザによって選択された空気圧を記憶する選択空気圧記憶エリア１２ｂ、ユーザが入力した空気圧を記憶する入力空気圧記憶エリア１２ｃを有する。
【００３４】
ＲＯＭ１３には、ＣＰＵ１１が各種機能を実行するためのプログラムが格納されている。
具体的に、ＲＯＭ１３は、図７に示すように、予め設定されたエアチャンバ４０内の所定の空気圧を記憶する記憶手段として機能する。また、ＲＯＭ１３は、複数の設定空気圧を記憶する設定空気圧記憶手段として機能し、設定空気圧記憶エリア１３ａを有する。設定空気圧記憶エリア１３ａには、図８に示すように、３種類のプログラムに対応して設定圧力値ａ、ｂ、ｃ及び各設定圧力値ａ、ｂ、ｃに対応したメッセージデータ（例えば、「ゆるめ」、「ふつう」、「きつめ」）が記憶されている。
また、ＲＯＭ１３は、エアチャンバ４０内の空気圧が許容される最大空気圧を記憶する最大空気圧記憶エリア１３ｂを有する。最大空気圧記憶エリア１３ｂには、図９に示すように、腕時計１００を装着するときの最大空気圧値Ｘと、生体観測をするときの最大空気圧値Ｚの２種類の空気圧が記憶されている。
【００３５】
更に、ＲＯＭ１３は、圧力センサ６０により計測された計測空気圧と、設定空気圧記憶エリア１３ａに記憶された設定空気圧とを比較して、計測空気圧が設定空気圧以上になったか否かを判断する機能を実現させる判断プログラム１３ｃを有する。
また、ＲＯＭ１３は、計測空気圧が設定空気圧以上になったと判断された場合に、表示部５及び音声出力部６にその旨を通知させる制御を行う機能を実現させる通知制御プログラム１３ｄを有する。
【００３６】
更に、ＲＯＭ１３は、計測空気圧が設定空気圧以上になったと判断された場合に、エアチャンバ４０とエアポンプ５０との間に設けられた開閉弁５１に対し、ＣＰＵ１１が閉信号を出力することにより、エアポンプ５０からエアチャンバ４０への空気の流入を遮断させる制御を行う機能を実現させる空気遮断制御プログラム１３ｅを有する。
また、ＲＯＭ１３は、設定空気圧記憶エリア１３ａに記憶された複数の設定空気圧情報の中から設定空気圧を選択する機能を実現させる設定空気圧選択プログラム１３ｆを有する。
【００３７】
更に、ＲＯＭ１３は、ユーザに通知される情報を表示部５に表示する機能を実現させる通知情報表示プログラム１３ｇを有する。
また、ＲＯＭ１３は、ユーザに通知される情報を音声出力部６に音声出力する機能を実現させる通知情報音声出力プログラム１３ｈを有する。
【００３８】
更に、ＲＯＭ１３は、圧力センサ６０によって計測された空気圧を表示部５に表示する機能を実現させる空気圧表示プログラム１３ｉを有する。
また、ＲＯＭ１３は、圧力センサ６０によって計測された空気圧を音声出力部６に音声出力する機能を実現させる空気圧音声出力プログラム１３ｊを有する。
【００３９】
入力部４は、図１及び図４に示すように、時計モジュール１０の上部に設けられたボタンで構成され、ユーザがこのボタンを押すことにより、操作制御や、設定空気圧の選択、空気圧の入力等を行うことができる。すなわち、入力部４は、ユーザが設定空気圧を入力するための空気圧入力手段として機能する。また、入力部４は、ＲＯＭ１３に記憶された複数の設定空気圧の中から設定空気圧を選択するための選択手段の一部として機能する。
【００４０】
表示部５は、例えば、ＬＣＤ（液晶表示装置）から構成され、エアチャンバ４０内の空気圧や設定空気圧入力画面等の各情報を表示する。すなわち、表示部５は、ユーザに通知される情報を表示する通知情報表示手段として機能するとともに、圧力センサ６０によって計測された空気圧を表示する空気圧表示手段として機能する。また、表示部５は、ＲＯＭ１３に記憶された複数の設定空気圧の中から設定空気圧を選択するための選択手段の一部として機能する。
【００４１】
音声出力部６は、例えば、スピーカから構成され、ＣＰＵ１１の制御に基づいて、ユーザにエアチャンバ４０内の空気圧等の情報を音声で出力する。すなわち、音声出力部６は、ユーザに通知される情報を音声出力する通知情報音声出力手段として機能するとともに、圧力センサ６０によって計測された空気圧を音声出力する空気圧音声出力手段として機能する。
【００４２】
時計ケース２０には、図２及び図３に示すように、ほぼ中央部に時計モジュール１０を収納可能な大きさの凹部が形成され、時計ケース２０の上面側には時計ガラス２１が装着されている。この時計ガラス２１を通して、時計モジュール１０の表示部５を観察することができる。更に、この時計ケース２０の下面側には、裏蓋２２が取り付けられるとともに、時計ケース２０の上部外周にはベゼル２３が設けられている。また、時計ケース２０の両端部には、バンド１２０が取り付けられている。
【００４３】
エアチャンバ４０は、図３に示すように、バンド１２０と時計ケース２の裏側全周にわたって設けられ、エアポンプ５０により空気が送り込まれることによって膨張する。このエアチャンバ４０は、ウレタンやゴム等の弾性を有する材料を袋状に形成したものである。また、エアチャンバ４０は、時計ケース２に設けられたエアポンプ５０に接続されている。
【００４４】
エアポンプ５０は、図１及び図２に示すように、時計ケース２内に、時計モジュール１０に隣接して設けられている。エアポンプ５０は、その上部が時計ケース２から露出されており、この露出部分をユーザがポンピングすることにより、エアポンプ５０に接続されたエアチャンバ４０に空気が送り込まれる。エアポンプ５０とエアチャンバ４０との接続部分には、エアチャンバ４０からエアポンプ５０への空気の逆流を防ぐとともに、エアチャンバ４０内の空気量が最大許容量となった場合に、エアポンプ５０からエアチャンバ４０への空気の流入を遮断する開閉弁５１が設けられている。
開閉弁５１は、例えば、図示しないソレノイドにより弁の開閉動作を行うものであって、ＣＰＵ１１から閉信号が入力されると開閉弁５１が閉じるように構成されている。
【００４５】
圧力センサ６０は、図３に示すように、第２のバンド１２２に位置するエアチャンバ４０内に設けられている。圧力センサ６０は、エアチャンバ４０内の空気圧を計測するものであり、計測された圧力値は時計モジュール１０の制御部１に送られる。また、圧力センサ６０は、血圧センサとしても機能する。
【００４６】
脈拍センサ７０は、血管の脈流の有無を検出するものであり、エアチャンバ４０に隣接して設けられている。
【００４７】
バンド１２０は、図３に示すように、時計ケース２０の両端部にそれぞれ接続され、第１のバンド１２１は手首を包み込むよう、長尺に形成されるとともに、柔軟に変形可能な構造とされている。具体的には、常温で柔軟性を有する樹脂等から形成すると良い。また、第２のバンド１２２は短尺に形成されるとともに、ほとんど変形しない構造とされている。具体的には、樹脂の内部に金属板を埋設したものから形成すると良い。
【００４８】
＜腕時計の装着方法＞
次に、腕時計１００を手首に最適にフィットさせる方法について、図１０〜図１２を用いて説明する。
図１０に示すように、最初に、ＣＰＵ１１は、ユーザによる生体観測（血圧、脈拍の測定）の選択画面の表示要求に基づいて、選択画面を表示部５に表示させ、ユーザに生体観測するか否かを促す。そして、ＣＰＵ１１は、入力部４からの生体観測を行わない旨の信号が入力されることにより、生体観測をしないと判断した場合（ステップＳ１；ＮＯ）、さらに、圧力値設定の有無の選択画面を表示させ、ユーザに対し、圧力値設定をするか否かを促す。
【００４９】
次いで、ＣＰＵ１１は、入力部４からの圧力値設定を行わない旨の信号が入力されることにより、圧力値設定を行わないと判断した場合（ステップＳ２；ＮＯ）、ＣＰＵ１１は、バンド１２０の締付力選択の有無の選択画面を表示させ、ユーザに対し、締付力を選択するか否かを促す。
【００５０】
（１）締付力の選択をしない場合（ステップＳ３；ＮＯ）
次いで、ＣＰＵ１１は、入力部４からの締付力選択を行わない旨の信号が入力されることにより、締付力の選択を行わないと判断した場合（ステップＳ３；ＮＯ）、圧力センサ６０から入力されたセンサ信号に基づいてエアチャンバ４０内の空気圧を計測し、ＲＡＭ１２内の計測空気圧記憶エリア１２ａに記憶させる（ステップＳ４）。次いで、ＣＰＵ１１は、計測空気圧記憶エリア１２ａに記憶された圧力値を表示部５に表示させる（ステップＳ５）。次いで、ＣＰＵ１１は、ＲＯＭ１３内の最大空気圧記憶エリア１３ｂからエアチャンバ４０内の空気圧が許容される最大空気圧を読み込んでＲＡＭ１２の選択空気圧記憶エリア１２ｂに記憶させる。そして、選択空気圧記憶エリア１２ｂから最大空気圧を読み込むとともに、判断プログラム１３ｃを実行することにより、圧力センサ６０で計測した空気圧と最大空気圧とを比較する。
【００５１】
ここで、ＣＰＵ１１が、エアチャンバ４０内の空気圧が最大圧力値以上と判断した場合（ステップＳ６；ＹＥＳ）、ＣＰＵ１１は、空気遮断制御プログラム１３ｅを実行することにより、開閉弁５１に閉信号を出力してエアチャンバ４０とエアポンプ５０とを遮断させる（ステップＳ７）。そして、図１２（ｂ）に示すように、ＣＰＵ１１は、通知情報表示プログラム１３ｇを実行することにより、「圧力超過」の旨を表示部５に表示させ（ステップＳ８）、これをもって本処理を終了する。なお、ステップＳ８において、ＣＰＵ１１は、通知情報音声出力プログラム１３ｈを実行することにより、音声出力部６から音声によってユーザに通知することもできる。一方、ＣＰＵ１１が、エアチャンバ４０内の空気圧が最大圧力値未満と判断した場合（ステップＳ６；ＮＯ）、ＣＰＵ１１は、再度ステップＳ４の処理に戻る。
【００５２】
（２）締付力の選択をする場合（ステップＳ３；ＹＥＳ）
また、ステップＳ３において、ＣＰＵ１１は、入力部４からの締付力選択を行う旨の信号が入力されることにより、締付力の選択をすると判断した場合（ステップＳ３；ＹＥＳ）、ＲＯＭ１３内の設定空気圧選択プログラム１３ｆを実行することにより、図１２（ｃ）に示すような表示を表示部５に表示させる。次いで、ユーザが３種類の締付力の中から好みの締付力を選択し、入力部４から入力する（ステップＳ１２）。次いで、ＣＰＵ１１は、ＲＯＭ１３内の設定空気圧記憶エリア１３ａから選択された締付力に対応する空気圧の圧力値を読み込み、図１２（ａ）に示すように、表示部５に表示させる（ステップＳ１３）。次いで、ＣＰＵ１１は、この圧力値をＲＡＭ１２の選択空気圧記憶エリア１２ｂに記憶させる（ステップＳ１４）。
【００５３】
次いで、ＣＰＵ１１は、圧力センサ６０から入力されたセンサ信号に基づいて、エアチャンバ４０内の空気圧を計測し、ＲＡＭ１２内の計測空気圧記憶エリア１２ａに記憶させる（ステップＳ１５）。次いで、ＣＰＵ１１は、計測空気圧記憶エリア１２ａに記憶された圧力値を表示部５に表示させる（ステップＳ１６）。次いで、ＣＰＵ１１は、ＲＡＭ１２内の選択空気圧記憶エリア１２ｂからユーザが選択した圧力値を読み込むとともに、ＲＡＭ１２内の計測空気圧記憶エリア１２ａから圧力センサ６０で計測された空気圧の圧力値を読み込み、判断プログラム１３ｃを実行することにより、選択圧力値と計測圧力値とを比較して、計測圧力値が選択圧力値以上となったか否かを判断する（ステップＳ１７）。
【００５４】
ここで、ＣＰＵ１１が、エアチャンバ４０内の空気圧の圧力値が選択圧力値以上と判断した場合（ステップＳ１７；ＹＥＳ）、ＣＰＵ１１は、空気遮断制御プログラム１３ｅを実行することにより、開閉弁５１に閉信号を出力してエアチャンバ４０とエアポンプ５０とを遮断させる（ステップＳ１８）。そして、図１２（ｄ）に示すように、ＣＰＵ１１は、通知情報表示プログラム１３ｇを実行することにより、「圧力値○○○、指定圧力になりました」の旨を表示部５に表示させ（ステップＳ１９）、これをもって本処理を終了する。なお、ステップＳ１９において、ＣＰＵ１１は、通知情報音声出力プログラム１３ｈを実行することにより、音声出力部６から音声によってユーザに通知することもできる。一方、ＣＰＵ１１が、エアチャンバ４０内の空気圧の圧力値が選択圧力値未満と判断した場合（ステップＳ１７；ＮＯ）、ＣＰＵ１１は、再度ステップＳ１５の処理に戻る。
【００５５】
（３）圧力値の設定をする場合（ステップＳ２；ＹＥＳ）
また、ステップＳ２において、ユーザが圧力値設定をすると判断した場合（ステップＳ２；ＹＥＳ）、ＣＰＵ１１は、表示部５に圧力値入力画面を表示させ、ユーザは、入力部４からエアチャンバ４０内の空気圧の圧力値を入力する（ステップＳ１１）。次いで、ＣＰＵ１１は、上述のステップＳ１４の処理に移り、設定した圧力値をＲＡＭ１２の入力空気圧記憶エリア１２ｃに記憶し、それ以降、上述した処理を行う。
【００５６】
（４）生体観測をする場合（ステップＳ１；ＹＥＳ）
また、ステップＳ１において、ユーザが生体観測をすると判断した場合（ステップＳ１；ＹＥＳ）、図１１に示すように、ＣＰＵ１１は、圧力センサ６０から入力された血圧センサ信号に基づいてユーザの血圧を計測するとともに、脈拍センサ７０から入力された脈拍センサ信号に基づいてユーザの脈拍を計測する（ステップＳ２１）。次いで、ＣＰＵ１１は、血圧及び脈拍の計測は終了したか否かを判断する（ステップＳ２２）。ここで、ＣＰＵ１１が、血圧及び脈拍の計測が終了していると判断した場合（ステップＳ２２；ＹＥＳ）、ＣＰＵ１１は、図１２（ｅ）に示すように、計測した血圧値及び脈拍数を表示部５に表示させる（ステップＳ２３）。次いで、ＣＰＵ１１は、エアチャンバ４０を開放させ、エアチャンバ４０内の空気を抜き（ステップＳ２４）、これをもって本処理を終了させる。一方、ＣＰＵ１１が、血圧及び脈拍の計測が終了していないと判断した場合（ステップＳ２２；ＮＯ）、ＣＰＵ１１は、圧力センサ６０から入力されたセンサ信号に基づいてエアチャンバ４０内の空気圧を計測し、ＲＡＭ１２内の計測空気圧記憶エリア１２ａに記憶させる（ステップＳ２５）。次いで、ＣＰＵ１１は、ＲＯＭ１３内の最大空気圧記憶エリア１３ｂからエアチャンバ４０内の空気圧が許容される最大空気圧を読み込むとともに、判断プログラム１３ｃを実行することにより、圧力センサ６０で計測した空気圧と最大空気圧とを比較する（ステップＳ２６）。
【００５７】
ここで、ＣＰＵ１１が、エアチャンバ４０内の空気圧が最大圧力値以上と判断した場合（ステップＳ２６；ＹＥＳ）、ＣＰＵ１１は、空気遮断制御プログラム１３ｅを実行することにより、開閉弁５１に閉信号を出力してエアチャンバ４０とエアポンプ５０とを遮断させる（ステップＳ２７）。そして、図１２（ｂ）に示すように、ＣＰＵ１１は、通知情報表示プログラム１３ｇを実行することにより、「圧力超過」の旨を表示部５に表示させ（ステップＳ２８）、これをもって本処理を終了する。なお、ステップＳ２８において、ＣＰＵ１１は、通知情報音声出力プログラム１３ｈを実行することにより、音声出力部６から音声によってユーザに通知することもできる。一方、ＣＰＵ１１が、エアチャンバ４０内の空気圧が最大圧力値未満と判断した場合（ステップＳ２６；ＮＯ）、ＣＰＵ１１は、再度ステップＳ２１の処理に戻る。
【００５８】
次に、上記実施の形態における腕時計１００の変形例を図１３を用いて説明する。
（変形例）
図１３に示すように、変形例の腕時計２００は、装着時に手首の裏側となる位置に圧力センサ６０を設けたものである。圧力センサ６０は、腕時計１００と同様、エアチャンバ４０内に設けられている。
【００５９】
このような構成とすることにより、手首の表側に表示部５を位置させ、手首の裏側に圧力センサ６０を位置させることができるので、装置本体１１０と圧力センサ６０との距離を離すことができ、圧力センサ６０の精度を向上させることができる。
【００６０】
本実施の形態の腕時計１００，２００によれば、ＣＰＵ１１が判断プログラム１３ｃを実行することにより、圧力センサ６０により計測された計測空気圧と、設定空気圧記憶エリア１３ａに記憶された設定空気圧とを比較して、計測空気圧が設定空気圧以上になったか否かを判断する。このとき、ＣＰＵ１１が、計測空気圧が設定空気圧以上になったと判断した場合に、ＣＰＵ１１は、通知制御プログラム１３ｄを実行することにより、表示部５及び音声出力部６にその旨を通知させる制御を行う。
よって、エアチャンバ４０内の圧力値を表示部５及び音声出力部６により確認しながら腕時計１００，２００を手首に装着することができるので、装着する度に同じフィット感を得ることができ、常に最適な装着感を得ることができる。
【００６１】
また、ＣＰＵ１１が判断プログラム１３ｃを実行することにより、ＣＰＵ１１が、計測空気圧が設定空気圧以上になったと判断した場合に、ＣＰＵ１１は、遮断制御プログラム１３ｅを実行することにより、開閉弁５１に対し、エアポンプ５０からエアチャンバ４０への空気の流入を遮断させる制御を行う。
よって、エアチャンバ４０内が設定空気圧以上になることがなくなるので、過度に手首を締め付けることがなくなる。
【００６２】
更に、ＣＰＵ１１が設定空気圧選択プログラム１３ｆを実行することにより、ユーザは、表示部５を介して設定空気圧記憶エリア１３ａに記憶された複数の設定空気圧の中から設定空気圧を選択することができる。
よって、ユーザは、腕時計１００，２００の装着感を選択することができるので、そのユーザにあった最適な装着感を得ることができる。
【００６３】
また、ユーザは、入力部４を介して所望する設定空気圧を入力することができる。
よって、エアチャンバ４０内の空気圧を無段階で設定することができ、設定空気圧記憶エリア１３ａに記憶された設定空気圧を選択する場合に比べて、より使い勝手の良い腕時計１００，２００とすることができる。
【００６４】
更に、設定空気圧記憶エリア１３ａには、エアチャンバ４０内の空気圧が許容される最大空気圧が記憶されていることから、エアチャンバ４０内が設定空気圧以上になることがなくなるので、過度に手首を締め付けることがなくなる。
【００６５】
また、ユーザに通知される情報及び圧力センサ６０によって計測された空気圧を表示する表示部５０を備えることから、ユーザは通知される情報を視覚で認識することができる。また、ユーザに通知される情報及び圧力センサ６０によって計測された空気圧を音声出力する音声出力部６を備えることから、ユーザは通知される情報を聴覚で認識することができる。
よって、よりユーザーフレンドリーな腕時計１００，２００とすることができる。
【００６６】
更に、エアチャンバ４０内に圧力センサ６０を設けたことから、腕時計１００，２００の小型化を図ることができる。また、装置本体１１０と圧力センサ６０との距離を離すことができるので、圧力センサ６０の精度を向上させることができる。
【００６７】
また、エアチャンバ４０は、装置本体１１０及びバンド１２０の裏側全周にわたって設けられていることから、エアチャンバ４０は、ユーザの手首をほぼ均等に締め付けることとなる。
よって、ユーザは、良好な装着感を得ることができる。
【００６８】
なお、本発明は上記実施の形態に限定されるものではない。例えば、エアチャンバへの空気の供給を、ユーザの手によるものではなく、自動で行うような構成としても良い。また、本発明の腕時計は、空気圧選択機能と空気圧入力設定機能とを有しているが、いずれか一方の機能を有するものでも良い。更に、生体観測機能の付加は任意であって、必ずしも備える必要はない。また、圧力センサで気圧を計測するようにしても良い。その他、発明の目的を逸脱しない範囲内であれば変更が可能である。
【００６９】
【発明の効果】
請求項１に記載の発明によれば、判断手段が圧力センサにより計測された計測空気圧と、記憶手段に記憶された設定空気圧とを比較して、計測空気圧が設定空気圧以上になったか否かを判断する。このとき、判断手段により、計測空気圧が設定空気圧以上になったと判断された場合に、通知制御手段が通知手段にその旨を通知させる制御を行う。
よって、エアチャンバ内の圧力値を通知手段により確認しながらリスト装着装置を手首に装着することができるので、装着する度に同じフィット感を得ることができ、常に最適な装着感を得ることができる。
【００７０】
請求項２に記載の発明によれば、判断手段により、計測空気圧が設定空気圧以上になったと判断された場合に、遮断制御手段が遮断手段に対し、エアポンプからエアチャンバへの空気の流入を遮断させる制御を行う。
よって、エアチャンバ内が設定空気圧以上になることがなくなるので、過度に手首を締め付けることがなくなる。
【００７１】
請求項３に記載の発明によれば、選択手段により、ユーザは、設定空気圧記憶手段により記憶された複数の設定空気圧の中から所望の設定空気圧を選択することができる。
よって、ユーザは、リスト装着装置の装着感を選択することができるので、そのユーザにあった最適な装着感を得ることができる。
【００７２】
請求項４に記載の発明によれば、ユーザは、空気圧入力手段から所望する設定空気圧を入力することができる。
よって、エアチャンバ内の空気圧を無段階で設定することができ、請求項３のように設定空気圧を選択する場合に比べて、より使い勝手の良いリスト装着装置とすることができる。
【００７３】
請求項５に記載の発明によれば、設定空気圧には、エアチャンバ内の空気圧が許容される最大空気圧が含まれることから、エアチャンバ内が設定空気圧以上になることがなくなるので、過度に手首を締め付けることがなくなる。
【００７４】
請求項６に記載の発明によれば、ユーザに通知される情報を表示する通知情報表示手段を備えることから、ユーザは通知される情報を視覚で認識することができる。
よって、よりユーザーフレンドリーなリスト装着装置とすることができる。
【００７５】
請求項７に記載の発明によれば、ユーザに通知される情報を音声出力する通知情報音声出力手段を備えることから、ユーザは通知される情報を聴覚で認識することができる。
よって、よりユーザーフレンドリーなリスト装着装置とすることができる。
【００７６】
請求項８に記載の発明によれば、圧力センサによって計測された空気圧を表示する空気圧表示手段を備えることから、ユーザは計測された空気圧を視覚で認識することができる。
よって、よりユーザーフレンドリーなリスト装着装置とすることができる。
【００７７】
請求項９に記載の発明によれば、圧力センサによって計測された空気圧を音声出力する空気圧音声出力手段を備えることから、ユーザは計測された空気圧を聴覚で認識することができる。
よって、よりユーザーフレンドリーなリスト装着装置とすることができる。
【００７８】
請求項１０に記載の発明によれば、エアチャンバ内に圧力センサを設けたことから、リスト装着装置の小型化を図ることができる。また、装置本体と圧力センサとの距離を離すことができるので、圧力センサの精度を向上させることができる。
【００７９】
請求項１１に記載の発明によれば、エアチャンバは、装置本体及びバンドの裏側全周にわたって設けられていることから、エアチャンバは、ユーザの手首をほぼ均等に締め付けることとなる。
よって、ユーザは、良好な装着感を得ることができる。
【図面の簡単な説明】
【図１】本発明の実施の形態における腕時計の概略平面図である。
【図２】図１のＩＩ−ＩＩ部断面図である。
【図３】図１のＩＩＩ−ＩＩＩ部断面図である。
【図４】本発明の実施の形態における腕時計の装着時の概要図である。
【図５】本発明の実施の形態における要部構成を示すブロック図である。
【図６】本発明の実施の形態におけるＲＡＭ内の構成の説明図である。
【図７】本発明の実施の形態におけるＲＯＭ内の構成の説明図である。
【図８】本発明の実施の形態における設定空気圧記憶エリア内の構成の説明図である。
【図９】本発明の実施の形態における最大空気圧記憶エリア内の構成の説明図である。
【図１０】本発明の実施の形態における腕時計の装着処理を説明するフローチャートである。
【図１１】本発明の実施の形態における腕時計の生体観測処理を説明するフローチャートである。
【図１２】本発明の実施の形態における表示例の説明図である。
【図１３】本発明の実施の形態における変形例の腕時計の断面図である。
【符号の説明】
１  制御部（判断手段、通知制御手段、遮断制御手段、選択手段）
４  入力部（空気圧入力手段、選択手段）
５  表示部（通知手段、通知情報表示手段、空気圧表示手段、選択手段）
６  音声出力部（通知手段、通知情報音声出力手段、空気圧音声出力手段）
１３  ＲＯＭ（記憶手段）
１３ａ  設定空気圧記憶エリア（設定空気圧記憶手段）
４０  エアチャンバ
５０  エアポンプ
５１  開閉弁（遮断手段）
６０  圧力センサ
１００，２００  腕時計（リスト装着装置）
１１０  装置本体
１２０  バンド
【図１】
2004298525.tif 000003
【図２】
2004298525.tif 000004
【図３】
2004298525.tif 000005
【図４】
2004298525.tif 000006
【図５】
2004298525.tif 000007
【図６】
2004298525.tif 000008
【図７】
2004298525.tif 000009
【図８】
2004298525.tif 000010
【図９】
2004298525.tif 000011
【図１０】
2004298525.tif 000012
【図１１】
2004298525.tif 000013
【図１２】
2004298525.tif 000014
【図１３】
2004298525.tif 000015